(57)【要約】【目的】安価な構成で、表示内容の種類を増やすことができる表示装置を提供する。【構成】導光板２１の一表面に設定された表示領域Ｒ１内に、表示内容として四角枠Ａ１〜Ａ３および文字列Ａ４〜Ａ６を青色光を他表面側に反射させる反射要素として青色の塗料を塗布して形成し、表示内容として三角形Ｂ１，Ｂ２および点線Ｂ３，Ｂ４を赤色光を他表面側に反射させる反射要素として赤色の塗料を塗布して形成して表示パネル２を構成する。表示パネル２を構成する導光板２１の端面近傍に、表示内容を形成した反射要素の色彩と同じ色彩光を発生させる複数の発光ダイオードＢＤ１，ＢＤ２，ＲＤ１，ＲＤ２を配置して表示装置１を構成する。青色または赤色発光ダイオードのいずれか１つを点灯させることによって、点灯された発光ダイオードからの色彩光を反射する反射要素で形成された表示内容を、該色彩光で表示する。【選択図】        図１
2005189722.tif 000002
【特許請求の範囲】
【請求項１】
導光板の一表面に設定された表示領域内に、互いに異なる色彩光を他表面側に反射させる複数種類の反射要素をそれぞれ配置することによって複数の異なる表示内容が形成された表示パネルと、表示内容を形成した反射要素に対応する色彩光を表示用光として前記導光板の端面から供給する複数の単色光光源とを備え、複数の単色光光源のいずれか１つを点灯させることによって、点灯された光源からの色彩光に対応する反射要素で形成された表示内容を表示することを特徴とする表示装置。
【請求項２】
請求項１記載の表示装置において、前記表示パネルには、複数の単色光光源からの色彩光のうち２種類以上の色彩光にそれぞれ対応した反射要素を混在させて表示内容が形成された表示領域が設けられており、該表示領域の表示内容は、表示内容を構成する反射要素のうちのいずれか１つに対応した単色光光源を点灯させることによって点灯された光源からの色彩光で表示され、２種類以上の反射要素にそれぞれ対応した単色光光源を点灯させることによって点灯された光源からの色彩光を混ぜ合わせた色彩光で表示されることを特徴とする表示装置。
【請求項３】
基板の表面に設定された表示領域内に、互いに異なる色彩光を透過させる複数種類の透光領域と遮光領域とを設定することによって複数の異なる表示内容が形成された表示パネルと、各透光領域を透過する色彩光を表示用光として表示領域に供給する複数の単色光光源とを備え、複数の単色光光源のいずれか１つを点灯させることによって、点灯された光源からの色彩光を透過させる透光領域による表示内容を表示することを特徴とする表示装置。
【請求項４】
請求項３記載の表示装置において、前記表示パネルには、複数の単色光光源からの色彩光をともに透過させる透光領域と遮光領域とで表示内容が形成された表示領域が設けられており、該表示領域の表示内容は、複数の単色光光源のいずれか１つを点灯させることによって点灯された光源からの色彩光の色彩で表示され、複数の単色光光源のうち２つ以上の光源を点灯させることによって点灯された光源からの色彩光を混ぜ合わせた色彩で表示されることを特徴とする表示装置。
【請求項５】
請求項３または４記載の表示装置において、前記表示パネルの表示面とは反対側に導光板を配置するとともに、該導光板は表示パネルに対向する表面とは反対側表面に表示パネルに向かって光を反射させる光反射機能を有し、複数の単色光光源からの色彩光を導光板の端面から入射させるようにしたことを特徴とする表示装置。
【発明の詳細な説明】
【技術分野】
【０００１】
本発明は、各種機器に用いられ、所定の文字や図形のように予め定められた複数の表示内容を選択して表示する表示装置に関するものである。
【背景技術】
【０００２】
従来、各種の機器には、機器の動作状態や機器への入力内容を表示するための表示装置が備えられている。機器の動作状態や機器への入力内容は、たとえば電源の「ＯＮ」、「ＯＦＦ」のように表示すべき内容が予め定められている場合が多いので、機器の動作状態や機器への入力内容を表示するための表示装置としては、複数の表示内容の中から必要な表示内容を選択して表示するいわゆる固定表示型の表示装置が用いられている。
【０００３】
このような固定表示型の表示装置は、たとえば特許文献１に記載されている。特許文献１に記載されている表示装置は、予め定められた表示内容を表示する透過型の液晶表示パネルと、この液晶表示パネルに表示された所定の表示内容に表示用光を供給する固定表示用導光板と、固定表示用導光板に表示用光を供給する表示パネル照明用光源とを備えている。この表示装置では、液晶表示パネルに表示内容としてたとえば「ＳＴＥＲＥＯ」と表示した状態で、表示パネル照明用光源を点灯すれば、表示用光が固定表示用導光板を介して液晶表示パネルの「ＳＴＥＲＥＯ」表示部分に供給されて表示が行われる。また、上記の固定表示型の表示装置では、表示パネル照明用光源として発光色の異なる複数の光源を用意し、所望の発光色の光源を点灯させることによって、カラー表示を行うこともできる。
【特許文献１】特開２００２−３６５６２８号公報
【発明の開示】
【発明が解決しようとする課題】
【０００４】
上記の固定表示型の表示装置では、比較的高価な液晶表示パネルを用いているので、表示装置が高価になるという問題がある。また、上記の表示装置では、表示内容の種類を増やす場合は液晶表示パネルを制御することによって実行できるけれども、そのための制御回路が必要であり、やはり表示装置が高価になるという問題を招来する。
【０００５】
本発明は、このような従来技術における問題点に着目してなされたものであって、安価な構成で、表示内容の種類を増やすことができる表示装置を提供することを目的とする。
【課題を解決するための手段】
【０００６】
本発明に係る表示装置は、導光板の一表面に設定された表示領域内に、互いに異なる色彩光を他表面側に反射させる複数種類の反射要素をそれぞれ配置することによって複数の異なる表示内容が形成された表示パネルと、表示内容を形成した反射要素に対応する色彩光を表示用光として前記導光板の端面から供給する複数の単色光光源とを備え、複数の単色光光源のいずれか１つを点灯させることによって、点灯された光源からの色彩光に対応する反射要素で形成された表示内容を表示することを特徴とする。
【０００７】
また上記表示装置において、前記表示パネルには、複数の単色光光源からの色彩光のうち２種類以上の色彩光にそれぞれ対応した反射要素を混在させて表示内容が形成された表示領域が設けられており、該表示領域の表示内容は、表示内容を構成する反射要素のうちのいずれか１つに対応した単色光光源を点灯させることによって点灯された光源からの色彩光で表示され、２種類以上の反射要素にそれぞれ対応した単色光光源を点灯させることによって点灯された光源からの色彩光を混ぜ合わせた色彩光で表示されるようにしてもよい。
【０００８】
また本発明に係る表示装置は、基板の表面に設定された表示領域内に、互いに異なる色彩光を透過させる複数種類の透光領域と遮光領域とを設定することによって複数の異なる表示内容が形成された表示パネルと、各透光領域を透過する色彩光を表示用光として表示領域に供給する複数の単色光光源とを備え、複数の単色光光源のいずれか１つを点灯させることによって、点灯された光源からの色彩光を透過させる透光領域による表示内容を表示することを特徴とする。
【０００９】
また上記表示装置において、前記表示パネルには、複数の単色光光源からの色彩光をともに透過させる透光領域と遮光領域とで表示内容が形成された表示領域が設けられており、該表示領域の表示内容は、複数の単色光光源のいずれか１つを点灯させることによって点灯された光源からの色彩光の色彩で表示され、複数の単色光光源のうち２つ以上の光源を点灯させることによって点灯された光源からの色彩光を混ぜ合わせた色彩で表示されるようにしてもよい。
【００１０】
また上記表示装置において、前記表示パネルの表示面とは反対側に導光板を配置するとともに、該導光板は表示パネルに対向する表面とは反対側表面に表示パネルに向かって光を反射させる光反射機能を有し、複数の単色光光源からの色彩光を導光板の端面から入射させるようにしてもよい。
【発明の効果】
【００１１】
本発明の表示装置によれば、表示パネルは、導光板の一表面に設定された表示領域内に、色彩光を導光板の他表面側に反射させる反射要素としてたとえば塗料や染料を一表面に塗布するなどして表示内容を形成して構成されている。表示内容とは、文字や図形などの使用者に認識させるべき情報である。表示内容を形成している反射要素は、表示内容ごとに異なる種類のものすなわち反射させる色彩光が異なるものが選ばれている。したがって、表示パネルの１つの表示領域内には、複数の異なる表示内容が形成されている。
【００１２】
本発明では、このような表示パネルに対して、複数の単色光光源からの色彩光が表示用光として導光板の端面から供給される。すなわち、複数の単色光光源のいずれかひとつを点灯させると、点灯された光源からの色彩光は導光板の端面から導光板内に入射し、導光板内を伝播する。そして、入射した色彩光が表示内容を構成する反射要素に入射すると、その反射要素が該色彩光を反射させる反射要素である場合は該色彩光は導光板の他表面側に反射されて導光板外部に出射し、それ以外の反射要素である場合は該色彩光は吸収・散乱等によって他表面側には反射されず導光板外部に出射しない。したがって、表示装置の観察者は、点灯した単色光光源からの色彩光のうち該色彩光を反射させる反射要素からの反射光を視認することになるので、反射要素によって形成された表示内容を点灯した単色光光源からの色彩光の色彩で認識する。
【００１３】
このように、表示させたい表示内容に応じて点灯させる単色光光源を選択すれば、１つの表示領域内で複数の異なる表示内容を異なる色彩で選択的に表示することができる。このような表示装置を構成する表示パネルは導光板の一表面に塗料や染料を印刷等によって塗布して形成することができるので、安価に製造することができる。また、表示内容ごとに個別に表示領域を設定する必要がないので、表示装置の構成を大型化することなく、表示内容の数を増加させることができる。
【００１４】
また、上記本発明の表示装置において、１つの表示領域内に形成される表示内容を、反射させる色彩光がそれぞれ異なる２種類以上の反射要素を混在させて形成すれば、反射要素がそれぞれ反射させる色彩光の色彩で表示内容を表示させるだけでなく、反射要素がそれぞれ反射させる色彩光を混ぜ合わせた色彩でも表示内容を表示させることができる。これによって、表示装置の構成を大型化することなく、表示態様のバリエーションを増加させることができる。
【００１５】
また、上記本発明の表示装置によれば、表示パネルは、基板に設定された表示領域内に、特定の色彩光のみを透過させる透光領域と遮光領域とを形成することによって表示内容を形成して構成されている。透光領域とは、たとえば特定の色彩光のみを透過させるいわゆるカラーフィルタで実現される。表示内容を形成している透光領域は、表示内容ごとに異なる種類のものすなわち透過させる色彩光が異なるものが選ばれている。したがって、表示パネルの１つの表示領域内には、複数の異なる表示内容が形成されている。
【００１６】
本発明では、このような表示パネルに対して、複数の単色光光源からの色彩光が表示用光として供給される。すなわち、複数の単色光光源のいずれかひとつを点灯させると、点灯された光源からの色彩光は表示パネルの表示領域に照射される。表示領域に照射された色彩光のうち、照射された色彩光を透過させる透光領域に入射した色彩光は表示パネルの外部に出射し、他の透光領域および遮光領域に入射した色彩光は表示パネルの外部に出射しない。したがって、表示装置の観察者は、点灯した単色光光源からの色彩光のうち該色彩光を透過させる透光領域を透過した透過光を視認することになるので、透光領域によって形成された表示内容を点灯した単色光光源からの色彩光の色彩で認識する。
【００１７】
このように、表示させたい表示内容に応じて点灯させる単色光光源を選択すれば、１つの表示領域内で複数の異なる表示内容を異なる色彩で選択的に表示することができる。このような表示装置を構成する表示パネルはカラーフィルタを使用することによって形成することができるので、安価に製造することができる。また、表示内容ごとに個別に表示領域を設定する必要がないので、表示装置の構成を大型化することなく、表示内容の数を増加させることができる。
【００１８】
また、上記本発明の表示装置において、１つの表示領域内に形成される表示内容を、２種類以上の色彩光をそれぞれ透過させる透光領域で形成すれば、単色光光源がそれぞれ発生させる色彩光の色彩で表示内容を表示させるだけでなく、単色光光源がそれぞれ発生させる色彩光を混ぜ合わせた色彩でも表示内容を表示させることができる。これによって、表示装置の構成を大型化することなく、表示態様のバリエーションを増加させることができる。
【００１９】
また、上記本発明の表示装置において、表示パネルの表示面とは反対側に、光反射機能を有する導光板を配置し、該導光板の端面近傍に複数の単色光光源を配置するなどして、単色光光源からの色彩光を導光板の端面から入射させて導光板の光反射機能を利用して表示パネルに照射するようにしたので、表示装置の奥行の長さを小さくすることができる。これによって、表示装置の小型化を図ることができる。
【発明を実施するための最良の形態】
【００２０】
図１は、本発明の第１実施形態である表示装置１の概略的構成を示す斜視図である。表示装置１は、表示パネル２と、表示パネル２に表示用光を供給する複数の単色光光源である赤色発光ダイオードＲＤ１，ＲＤ２および青色発光ダイオードＢＤ１，ＢＤ２と、表示パネル２の表示面側に配置されるオーバーレイ３とを備えて構成されている。
【００２１】
表示パネル２は、アクリル系樹脂、エポキシ樹脂、ポリカーボネート等の透光性材料からなる比較的細長い平板状の導光板２１の一表面に、複数の表示内容を構成する多数の反射要素を配置して構成されている。導光板２１の一表面には、２つの表示領域Ｒ１，Ｒ２が設定されている。表示領域Ｒ１は、図１紙面において導光板２１の長手方向右側に設定されている比較的細長い長方形の領域であり、表示領域Ｒ２は、図１紙面において導光板２１の長手方向左側に設定されている長方形の領域である。各表示領域Ｒ１，Ｒ２内には、多数の反射要素を配置することによって表示内容が形成されている。反射要素とは、導光板２１の端面から内部に入射した光を導光板２１の他表面側に反射する機能を有するものであり、染料や塗料で実現される。
【００２２】
図１に示す表示パネル２では、表示内容として、表示領域Ｒ１には、表示領域Ｒ１の長手方向に沿って図１紙面において左側から順番に配列される３つの四角枠Ａ１〜Ａ３と、各四角枠Ａ１〜Ａ３内に配置される文字列Ａ４〜Ａ６と、表示領域Ｒ１の長手方向両端部にそれぞれ配置される２つの三角形Ｂ１，Ｂ２と、２つの三角形Ｂ１，Ｂ２間に配置される２本の点線Ｂ３，Ｂ４とが形成されている。
【００２３】
四角枠Ａ１内に形成される文字列Ａ４はＶｏｌｕｍｅの略語である「ＶＯＬ」であり、四角枠Ａ２内に形成される文字列Ａ５はＦｒｅｑｕｅｎｃｙの略語である「ＦＲＥＱ」であり、四角枠Ａ３内に形成される文字列Ａ６はＤｉｍｍｅｒの略語である「ＤＩＭ」である。また、２本の点線Ｂ３，Ｂ４は、ボリュームや周波数の大小を示すいわゆる可変スライダーであり、三角形Ｂ１，Ｂ２はボリュームや周波数の変化の向きを表す矢印に相当するものである。また、表示領域Ｒ２には、表示内容として、四角枠Ｃ１と、四角枠Ｃ１内に配置される文字列Ｃ２とが形成されている。文字列Ｃ２は、「ＯＫ」である。
【００２４】
上記の表示内容のうち、表示領域Ｒ１に形成される四角枠Ａ１〜Ａ３と文字列Ａ４〜Ａ６とは青色の染料や塗料を導光板２１の一表面に塗布して形成され、表示領域Ｒ１に形成される三角形Ｂ１，Ｂ２と点線Ｂ３，Ｂ４とは赤色の染料や塗料を導光板２１の一表面に塗布して形成され、表示領域Ｒ２に形成される四角枠Ｃ１と文字列Ｃ２とは青色と赤色の染料や塗料を混合したものを導光板２１の一表面に塗布して形成されている。なお、四角枠Ｃ１と文字列Ｃ２とは、青色および赤色の微小なドットを導光板２１の一表面に多数配列して形成してもよい。
【００２５】
赤色発光ダイオードＲＤ１および青色発光ダイオードＢＤ１は、表示パネル２を構成する導光板２１の長手方向一端部近傍に配置され、赤色発光ダイオードＲＤ２および青色発光ダイオードＢＲ２は、導光板２１の長手方向他端部近傍に配置されている。各発光ダイオードＲＤ１，ＲＤ２，ＢＤ１，ＢＤ２からの色彩光は、導光板２１の端面から導光板２１内部に入射される。
【００２６】
オーバーレイ３は、表示パネル２の表示面側、すなわち導光板２１の他表面側に配置される。オーバーレイ３は、表示パネル２の表示領域Ｒ１，Ｒ２に対応する概ね中央の領域が半透明の領域３ａであり、半透明領域３ａの周囲は黒色の遮光領域３ｂである。オーバーレイ３の半透明領域３ａは、発光ダイオードＲＤ１，ＲＤ２，ＢＤ１，ＢＤ２を点灯させていない状態で周囲光が表示パネル２に入射して表示内容で反射した反射光は透過させないが、点灯させた状態では発光ダイオードからの色彩光が表示内容で反射した反射光を透過させる程度の透明度に設定されている。したがって、発光ダイオードＲＤ１，ＲＤ２，ＢＤ１，ＢＤ２を点灯させていない状態では表示パネル２の表示内容は目視できず黒色であり、発光ダイオードを点灯させたときはその色彩光によって表示内容を目視できる。また、オーバーレイ３の遮光領域３ｂは、導光板２１の端部と導光板２１の端部近傍に配置されている発光ダイオードＲＤ１，ＲＤ２，ＢＤ１，ＢＤ２を覆い、発光ダイオードＲＤ１，ＲＤ２，ＢＤ１，ＢＤ２からの色彩光が直接外部に出射することを防止している。
【００２７】
上述した構成の表示装置１では、発光ダイオードＲＤ１，ＲＤ２，ＢＤ１，ＢＤ２をすべて点灯していない状態では、オーバーレイ３の存在によって図２（ａ）に示されるように、表示装置１の表示面は黒色として認識される。なお、図２では、黒色として認識される領域は白色で表している。これに対し、発光ダイオードを点灯したときは、点灯状態に応じて表示内容が所定の色彩で認識される。
【００２８】
まず、青色発光ダイオードＢＤ１，ＢＤ２を点灯させると、点灯された青色発光ダイオードＢＤ１，ＢＤ２からの青色光は、導光板２１の端面から導光板２１内に入射し、導光板２１内を伝播する。入射した青色光が表示内容を構成する反射要素Ａ１〜Ａ６，Ｃ１，Ｃ２に入射すると、反射要素が青色光を反射させる反射要素である場合は入射した青色光は導光板２１の他表面側に反射して導光板２１の外部に出射し、それ以外の反射要素である場合は吸収・散乱等によって入射した青色光は他表面側には反射せず導光板２１の外部には出射しない。したがって、図２（ｂ）に示されるように、表示領域Ｒ１内に形成されている青色の染料で形成された四角枠Ａ１〜Ａ３と文字列Ａ４〜Ａ６とが青色で認識される。このとき、表示領域Ｒ２内に形成されている四角枠Ｃ１と文字列Ｃ２とは、青色と赤色の染料を混合したもので形成されているので、四角枠Ｃ１と文字列Ｃ２でも青色光が反射し、四角枠Ｃ１と文字列Ｃ２も青色で認識される。
【００２９】
また、赤色発光ダイオードＲＤ１，ＲＤ２を点灯させると、赤色発光ダイオードＲＤ１，ＲＤ２からの赤色光は導光板２１の端面から導光板２１内に入射し、導光板２１内を伝播する。入射した赤色光が表示内容を構成する反射要素Ａ１〜Ａ６，Ｃ１，Ｃ２に入射すると、反射要素が赤色光を反射させる反射要素である場合は入射した赤色光は導光板２１の他表面側に反射して導光板２１の外部に出射し、それ以外の反射要素である場合は吸収・散乱等によって入射した赤色光は他表面側には反射せず導光板２１の外部には出射しない。したがって、図２（ｃ）に示されるように、表示領域Ｒ１内に形成されている赤色の染料で形成された三角形Ｂ１，Ｂ２と点線Ｂ３，Ｂ４とが赤色で認識される。このとき、表示領域Ｒ２内に形成されている四角枠Ｃ１と文字列Ｃ２とは、青色と赤色の染料を混合したもので形成されているので、四角枠Ｃ１と文字列Ｃ２でも赤色光が反射し、四角枠Ｃ１と文字列Ｃ２も赤色で認識される。
【００３０】
さらに、青色発光ダイオードＢＤ１，ＢＤ２および赤色発光ダイオードＲＤ１，ＲＤ２をともに点灯させると、各発光ダイオードからの青色光および赤色光は導光板２１の端面から導光板２１内に入射し、導光板２１内を伝播する。そして、青色光は青色光を反射させる反射要素に入射した場合に導光板２１の外部に出射し、赤色光は赤色光を反射させる反射要素に入射した場合に導光板２１の外部に出射する。したがって、図２（ｄ）に示されるように、表示領域Ｒ１内に形成されている青色の染料で形成された四角枠Ａ１〜Ａ３と文字列Ａ４〜Ａ６とが青色で認識されるとともに、表示領域Ｒ１内に形成されている赤色の染料で形成された三角形Ｂ１，Ｂ２と点線Ｂ３，Ｂ４とが赤色で認識される。このとき、表示領域Ｒ２内に形成されている四角枠Ｃ１と文字列Ｃ２とは、青色と赤色の染料を混合したもので形成されているので、四角枠Ｃ１と文字列Ｃ２では青色光と赤色光とがともに反射し、四角枠Ｃ１と文字列Ｃ２は青色と赤色との混合色で認識される。
【００３１】
このように、導光板２１の一方面に塗料や染料を塗布して表示内容を形成した表示パネル２と、発光色の異なる発光ダイオードＢＤ１，ＢＤ２，ＲＤ１，ＲＤ２とを用いて表示装置１を構成し、表示させたい表示内容に応じて点灯させる発光ダイオードの種類を選択すれば、１つの表示領域内で複数の異なる表示内容を異なる色彩で選択的に表示することができる。表示パネル２は、導光板２１の一方面に塗料や染料を塗布して構成することができるので、安価に製造することができる。また、表示内容に対応して個別に表示領域を設定する必要がないので、表示装置１の構成を大型化することなく、多数の表示内容を表示することができる表示装置１を実現することができる。
【００３２】
また、表示装置１において、表示領域Ｒ２内に形成される表示内容は、反射させる色彩光がそれぞれ異なる２種類の反射要素を混在させて形成しているので、反射要素がそれぞれ反射させる色彩すなわち青色および赤色で表示内容を表示させるだけでなく、反射要素がそれぞれ反射させる青色光および赤色光を混ぜ合わせた色彩でも表示内容を表示させることができる。これによって、表示装置１の構成を大型化することなく、表示内容の表示態様のバリエーションを増加させることができる。
【００３３】
図３は、本発明の第２実施形態である表示装置１１の概略的構成を示す図であり、（ａ）は上面図であり、（ｂ）は正面図である。表示装置１１は、表示パネル１２と、表示パネル１２に表示用光を供給する単色光光源である赤色発光ダイオードＲＤ１，ＲＤ２および青色発光ダイオードＢＤ１，ＢＤ２とを備えて構成される。
【００３４】
表示パネル１２には、基板の表面に設定された表示領域Ｒ１１，Ｒ１２内に、予め定められた色彩光を透過させる透光領域と遮光領域とで所定の表示内容が設定されている。表示領域Ｒ１１内には、互いに異なる色彩光を透過させる複数種類の透光領域を設けることによって複数の異なる表示内容が設定されている。透光領域は、特定の色彩光のみを透過させるいわゆるカラーフィルタで形成される。
【００３５】
具体的には、青色光を透過させる透光領域によって、表示領域Ｒ１１の長手方向に沿って図３紙面において左側から順番に配列される３つの四角枠Ａ１〜Ａ３と、各四角枠Ａ１〜Ａ３内に配置される文字列Ａ４〜Ａ６とが形成されている。また、赤色光を透過させる透光領域によって、表示領域Ｒ１１の長手方向両端部にそれぞれ配置される２つの三角形Ｂ１，Ｂ２と、２つの三角形Ｂ１，Ｂ２間に配置される２本の点線Ｂ３，Ｂ４とが形成されている。
【００３６】
さらに、表示領域Ｒ１２内には、複数の単色光光源からの色彩光をともに透過させる透光領域と遮光領域で所定の表示内容が設定されている。具体的には、青色光および赤色光をともに透過させる透光領域によって、四角枠Ｃ１と文字列Ｃ２とが形成されている。
【００３７】
上述した構成の表示装置１１では、赤色発光ダイオードＲＤ１，ＲＤ２からの赤色光および青色発光ダイオードＢＤ１，ＢＤ２からの青色光は、それぞれ表示領域Ｒ１１，Ｒ１２に照射される。したがって、青色発光ダイオードＢＤ１，ＢＤ２を点灯させると、青色光が表示領域Ｒ１１，Ｒ１２に照射される。これによって、表示領域Ｒ１１では青色光を透過させる透光領域から青色光が透過するので、青色光を透過させる透光領域で構成された表示内容、すなわち、四角枠Ａ１〜Ａ３と文字列Ａ４〜Ａ６とが青色で表示され、表示領域Ｒ１２では透光領域は青色光を透過させるので、透光領域で構成された表示内容、すなわち四角枠Ｃ１と文字列Ｃ２とが青色で表示される。
【００３８】
一方、赤色発光ダイオードＲＤ１，ＲＤ２を点灯させると、赤色光が表示領域Ｒ１１，Ｒ１２に照射される。これによって、表示領域Ｒ１１では赤色光を透過させる透光領域から赤色光が透過するので、赤色光を透過させる透光領域で構成された表示内容、すなわち、三角形Ｂ１，Ｂ２と点線Ｂ３，Ｂ４とが赤色で表示され、表示領域Ｒ１２では透光領域は赤色光を透過させるので、透光領域で構成された表示内容、すなわち四角枠Ｃ１と文字列Ｃ２とが赤色で表示される。
【００３９】
さらに、青色発光ダイオードＢＤ１，ＢＤ２および赤色発光ダイオードＲＤ１，ＲＤ２を点灯させると、青色光および赤色光がともに表示領域Ｒ１１，Ｒ１２に照射される。これによって、表示領域Ｒ１１では、青色光を透過させる透光領域からは青色光が透過し、赤色光を透過させる透光領域からは赤色光が透過するので、青色光を透過させる透光領域で構成された表示内容、すなわち四角枠Ａ１〜Ａ３と文字列Ａ４〜Ａ６とが青色で表示されるとともに、赤色光を透過させる透光領域で構成された表示内容、すなわち三角形Ｂ１，Ｂ２と点線Ｂ３，Ｂ４とが赤色で表示される。また、表示領域Ｒ１２では透光領域は青色光および赤色光をともに透過させるので、透光領域で構成された表示内容、すなわち四角枠Ｃ１と文字列Ｃ２とが青色と赤色とを混合した色彩で表示される。
【００４０】
このように表示装置１１では、青色発光ダイオードＢＤ１，ＢＤ２または赤色発光ダイオードＲＤ１，ＲＤ２のいずれかを点灯させれば、点灯されたダイオードの色彩光を透過させる透光領域で構成された表示内容を表示することができる。また、表示装置１１では、青色発光ダイオードＢＤ１，ＢＤ２および赤色発光ダイオードＲＤ１，ＲＤ２をともに点灯すれば、青色透光領域および赤色透光領域で形成された表示内容をそれぞれ青色および赤色で表示することができるとともに、青色および赤色を両方とも透過させる透光領域で形成された表示内容を青色と赤色とを混合した色彩で表示することができる。したがって、カラーフィルタを利用して表示パネル１２を形成することができるので、安価に表示装置１１を製造することができる。また、表示内容に対応させて個別に表示領域を設定する必要がないので、表示装置１１の構成を大型化することなく、多数の表示内容を表示することができる表示装置１１を実現することができる。
【００４１】
図４は、本発明の第３実施形態である表示装置１１ａの概略的構成を示す図であり、（ａ）は上面図であり、（ｂ）は正面図である。第３実施形態は、上述した第２実施形態と類似しているので、同一の構成には同一の参照符号を付して詳細な説明は省略する。第３実施形態の特徴は、表示パネル１２の表示面とは反対側に導光板１３を配置するとともに、導光板１３の長手方向の各端部近傍に、青色発光ダイオードＢＤ１，ＢＤ２および赤色発光ダイオードＲＤ１，ＲＤ２を配置し、各発光ダイオードからの色彩光を導光板１３の長手方向の各端面から導光板１３内に入射させるようにしたことである。導光板１３は、表示パネル１２に対向する表面とは反対側表面に表示パネル１２に向かって光を反射させる光反射機能を有している。光反射機能は、光を反射させる反射板を表面に貼り付けてもよいし、凹凸を形成するなどの粗面化処理を表面に施してもよい。導光板１３に光反射機能を持たせることによって、発光ダイオードＢＤ１，ＢＤ２，ＲＤ１，ＲＤ２からの色彩光を効率よく表示に使用することができる。
【００４２】
表示装置１１ａの表示原理は、第２実施形態である表示装置１１と同じであるので、本実施形態においても、第２実施形態と同様の効果が得られる。また、表示パネル１２の表示面とは反対側に導光板１３を配置し、導光板１３の端面近傍に複数の発光ダイオードＲＤ１，ＲＤ２，ＢＤ１，ＢＤ２を配置したので、表示装置１１ａの奥行の長さを小さくすることができる。これによって、表示装置１１ａの小型化を図ることができる。
【産業上の利用可能性】
【００４３】
本発明の表示装置は、ＴＶチューナやＤＶＤプレーヤのように機器の動作内容や機器への入力内容などの機器に関する情報を表示するための表示装置として広く使用することができる。また、本発明の表示装置は、入力装置において入力すべき入力内容を表示する表示装置として使用することができる。
【図面の簡単な説明】
【００４４】
【図１】本発明の第１実施形態である表示装置１の概略的構成を示す斜視図である。
【図２】表示装置１の表示状態を示す正面図である。
【図３】本発明の第２実施形態である表示装置１１の概略的構成を示す図であり、（ａ）は上面図であり、（ｂ）は正面図である。
【図４】本発明の第３実施形態である表示装置１１ａの概略的構成を示す図であり、（ａ）は上面図であり、（ｂ）は正面図である。
【符号の説明】
【００４５】
１      表示装置
２      表示パネル
３      オーバーレイ
３ａ    半透明領域
３ｂ    遮光領域
１１    表示装置
１１ａ  表示装置
１２    表示パネル
１３    導光板
２１    導光板
Ａ１    四角枠
Ａ２    四角枠
Ａ３    四角枠
Ａ４    文字列
Ａ５    文字列
Ａ６    文字列
Ｂ１    三角形
Ｂ２    三角形
Ｂ３    点線
Ｂ４    点線
Ｃ１    四角枠
Ｃ２    文字列
ＢＤ１  青色発光ダイオード
ＢＤ２  青色発光ダイオード
ＲＤ１  赤色発光ダイオード
ＲＤ２  赤色発光ダイオード
Ｒ１    表示領域
Ｒ２    表示領域
Ｒ１１  表示領域
Ｒ１２  表示領域
【図１】
2005189722.tif 000003
【図２】
2005189722.tif 000004
【図３】
2005189722.tif 000005
【図４】
2005189722.tif 000006